Podtech/llm-jp-corpus-v4-ja_patent huggingface dataset:
(57)【要約】【課題】  殻付きかきを一般家庭でも簡単に生食できるようにし、しかも、衛生的であり、美味しい開殻済み殻付きかきの加工および包装方法を提供する。【解決手段】  浄化水槽より、殻付かきを選別する工程と、これら選別された殻付かきを、高圧洗浄機にて洗浄する工程と、洗浄された殻付かきをの外面をグラインダーで研削する工程と、これら研削された殻付きかきの貝柱を切断して蓋殻を完全に外す工程と、かきの身を冷却清浄海水で洗浄してかき殻の粉を取り除く工程と、これら蓋をした開殻済みの殻付きかきを複数個づつそれぞれ、トレーに並べる工程と、これら蓋をした開殻済みの殻付きかきを複数個づつ並べたトレーごと、ポリエチレン等の合成樹脂袋に入れる工程と、さらにこれらを真空包装用のナイロンに多少の水分（清浄海水）と共に入れて真空包装する工程と、これら真空包装されたものを冷蔵庫に保管する工程からなる開殻済み殻付きかきの加工および包装方法。【選択図】  図１
2006020555.tif 000002
【特許請求の範囲】
【請求項１】
浄化水槽より、殻付かきを選別する工程と、これら選別された殻付かきを、高圧洗浄器にて洗浄する工程と、洗浄された殻付かきをの外面をグラインダーで研削する工程と、これら研削された殻付きかきの貝柱を切断して蓋殻を完全に外す工程と、かきの身を冷却清浄海水で洗浄してかき殻の粉を取り除く工程と、これら蓋をした開殻済みの殻付きかきを複数個づつそれぞれ、トレーに並べる工程と、これら蓋をした開殻済みの殻付きかきを複数個づつ並べたトレーごと、ポリエチレン等の合成樹脂袋に入れる工程と、さらにこれらを真空包装用のナイロンに多少の水分と共に入れて真空包装する工程と、これら真空包装されたものを冷蔵庫に保管する工程からなる開殻済み殻付きかきの加工処理および包装方法。
【発明の詳細な説明】
【技術分野】
【０００１】
この発明は、開殻済み殻付きかきの加工処理および包装方法に関するものである。
【背景技術】
【０００２】
従来、殻付きかきは、新鮮であり、むき身のものより一段と美味しいものであるが、この殻付きかきを生食する場合には、一般の家庭では開殻することが、困難な場合が多く、従って、殻付きかきの購入は至らない場合が多く見受けられている。
【０００３】
また、殻付きかきを購入したとしても、調理をする際に殻蓋はどうにか、こじ開けられたとしても、かきの中身を傷つけてしまったり、あるいは、開殻の際に生じた殻のかけらや粉等が混入したりして食する際に、問題があった。
【０００４】
本来、殻付きかきを開閉する場合には、殻と殻との間に、ナイフを差し込み、かきの貝柱の部分を切断すると簡単に殻が開くそうであるが、この作業は熟練を要するため、一般家庭では、難しいものであった。
【０００５】
また、殻つきかきは、料理として皿に盛って並べた場合にも、大変見栄えがよく、また、生食として賞味するのは最高なものである。
【発明の開示】
【発明が解決しようとする課題】
【０００６】
そこで、この発明は、殻付きかきを一般家庭でも簡単に生食できるようにし、しかも、衛生的であり、美味しい開殻済み殻付きかきの加工処理および包装方法を開発・提供するものである。
【発明の効果】
【０００７】
この発明によると、浄化水槽より、殻付かきを選別する工程を用いることにより、殻付きかきの大きさを揃えることができ、これら選別された殻付かきを、高圧洗浄機にて洗浄する工程を用いることにより、かき殻に付着したゴミ、砂等を洗浄することにより衛生的であり、また、殻付かきをの外面をグラインダーで研削する工程を設けることにより、殻付きかきの外観を整えることができ、見栄えもよく、さらに、これら研削された殻付きかきの貝柱を切断して蓋殻を完全に外す工程と、かきの身を冷却清浄海水で洗浄してかき殻の粉を取り除く工程を設けることにより、かきの身の口当たりをよくする効果がある。
【０００８】
また、これら蓋をした開殻済みの殻付きかきを、複数個づつそれぞれ、トレーに並べる工程により、見た目に体裁もよく、購買者の購買意欲を刺激するものであり、これら蓋をした開殻済みの殻付きかきを複数個づつ並べたトレーごと、ポリエチレン等の合成樹脂袋に入れる工程と、さらにこれらを真空包装用のナイロンに多少の水分（例えば、清浄海水）と共に入れて真空包装する工程と、これら真空包装されたものを冷蔵庫に保管する工程を設けることにより、外気と遮断すると共に、かきの身の乾燥を防ぐことができる等の効果を奏する。
【課題を解決するための手段】
【０００９】
この発明によると、開殻済み殻付きかきを、簡単に生で食べることができるよう、あらかじめ、殻付かきの殻を一度開いて海水で洗い、再び蓋をし、これらをトレーに３個程度並べて、細菌の侵入と乾燥防止のために真空包装したものである。
【発明を実施するための最良の形態】
【００１０】
この発明の一実施例を図面により詳述すると、殻付かきの浄化水槽より、殻付かき（１）を選別して、１００個をコンテナーに入れる工程と、これら選別された殻付かき（１）を、台車に載せて、室外の高圧洗浄機にて洗浄する工程と、洗浄された殻付かき（１）を開殻加工室へ搬入する。
【００１１】
そして、開殻加工台へ運び、殻付かき（１）の右淵をグラインダーで研削り、コンテナーに入れて平台へ移動させる。
【００１２】
これら研削された殻付きかき（１）の貝柱を切断して蓋殻（１ａ）を完全に外す工程と、かきの身（２）を冷却清浄海水で洗浄し、かき殻の粉を取り除き、蓋殻（１ａ）を元に戻し、開殻済みの殻付きかきを複数個づつそれぞれ、トレー（３）に並べる。
【００１３】
次に、これら蓋殻（１ａ）をした開殻済みの殻付きかき（１）をコンテナーに並べ、盛り付け台へ運び、複数個、例えば、３個づつ並べたトレー（３）ごと、ポリエチレン等の合成樹脂袋〔例えば、ＯＫ袋０．０５ｍｍ  ＮＯ．１１〕（４）に入れ、コンテナーに移し、真空包装室へ搬入する。
【００１４】
この真空包装室では、真空包装用の袋〔例えば、トリプルナイロンＮＹ−９〕（５）にトレーを入れ、多少の水分（６）、例えば、清浄海水を入れて７０％で真空包装する。
【００１５】
そして、真空包装された開殻済み殻付かき入りトレー（３）の状態を確認して、コンテナーに移し、冷蔵庫に保管し、最後に、発泡スチロール容器に詰め合わせて出荷するものである。
【産業上の利用可能性】
【００１６】
この発明は、これら開殻済み殻付きかきの加工処理および包装方法の技術を確立し、かつ、寄与する点で、産業上の利用可能性を有する。
【図面の簡単な説明】
【００１７】
【図１】この発明の一実施例を示す一部欠截正面図である。
【符号の説明】
【００１８】
１  殻付かき
１ａ  蓋殻
２  かきの身
３  トレー
４  ポリエチレン等の合成樹脂袋
５  真空包装用の袋
６  水分（清浄海水）
【図１】
2006020555.tif 000003
(57)【要約】      （修正有）【課題】サーキットコース内の要所に予め設置された複数のカメラにて撮影された複数の映像と音声をオーサリングツールにてマルチアングル映像としてＤＶＤに収録することにより、マルチアングル機能を活用して鑑賞者が同一時間帯に走行した全車両の個々の走行データ（映像・音声）を画面を切り換える事で追尾・鑑賞できる製品とシステムを提供する。【解決手段】サーキット全体をカバーするべく複数台のカメラをコースの要所に設置する。各映像・音声データをエンコーダーによりデジタルデータとしてＰＣにキャプチャーする。それらの映像・音声データをＤＶＤオーサリングツールによりマルチアングル映像としてＤＶＤに収録する。【選択図】図１
2006020260.tif 000002
【特許請求の範囲】
【請求項１】
予めサーキット内の各所に設置された複数のカメラによりサーキットを走行する車両の全走行記録（画像・音声）を収録する。
【請求項２】
コース内の各所に設置された複数のカメラにより撮影された映像・音声をＤＶＤオーサリングツールによりマルチアングル映像として１つのメディア（ＤＶＤ）に収録。鑑賞者がマルチアングル機能を用いて画面を切り換えることにより、同時間帯に走行した全車両の中より希望する車両を追尾・鑑賞できるＤＶＤ製品及び製作システム。
【発明の詳細な説明】
【発明の詳細な説明】
【発明に関する技術分野】
【０００１】この発明は、サーキットを走行する車両をコース各所に設置した複数台のカメラにより撮影、それらの映像をエンコーダーによりＰＣにキャプチャーし、ＤＶＤオーサリングツールを用いて同時間軸で動く複数の映像と音声をＤＶＤへマルチアングル映像として収録。鑑賞者が再生時に鑑賞したい車両の走行データ（映像・音声）をマルチアングル機能を用いて画像を変換しながら追尾・鑑賞できる製品及び製作システムに関するものである。
【背景技術】
【０００２】従来、サーキットを走る車両を外部より撮影する際は、知人や映像製作会社に依頼を行い、被写体を特定した撮影を行っていた。通常サーキットのコースは広大な為、単体のカメラではコースの全体の撮影はできなかった。また複数のカメラを使用してコース全体の撮影を行った場合、その撮影及び編集には多大な労力と費用を必要するだけではなく、それらの映像は主となる被写体を特定して撮影・編集を行う為、被写体以外の同時間帯に走行した車両の映像を提供する事はできなかった。またマルチアングル機能は通常一つの主となる被写体をあらゆるアングルから撮影される事に用いられており全く異なる位置から異なる場面を撮影する事には利用されていない。マルチアングル機能を用いて画面を変換させる事により、サーキットコース全体をカバーし、走行する車両の全走行データー（画像・音声）を追尾・鑑賞できる製品及びシステムは他に類をみない。
【発明が解決しようとする課題】
【０００３】サーキットコース内を走行する車両の全走行データ（映像・音声）を撮影する際、次のような問題があった。広大なサーキットコースにおいて単体のカメラでは撮影する範囲が限られてしまいサーキット走行全体の撮影をする事が困難であった。また複数台のカメラを使用して撮影を行った際は、その映像の編集作業を含め多大な労力と費用を必要とするだけではなく、その映像は単一的なものであり同時間帯に走行した全車両の全走行データを鑑賞することは出来なかった。
本発明は、これらの問題点を解決し、同時間帯に走行した全ての車両の個々の全走行データ（映像・音声）を同一のメディア（ＤＶＤ）において提供する事を可能にするものである。
【課題を解決する手段】
【０００４】サーキットコース全体をカバーするべく複数台のカメラをコース内の要所に設置する（図１）。各映像・音声データをエンコーダーによりデジタルデータとしてＰＣにキャプチャーする（図２）。それらの映像・音声データをＤＶＤオーサリングツールによりマルチアングル映像としてＤＶＤに収録する（図３）。
本発明は、以上の構成よりなる同一のメディア（ＤＶＤ）により鑑賞者が同じ時間帯に走行した全車両の全走行データ（映像・音声）をマルチアングル機能を使用することにより追尾・鑑賞できるＤＶＤ製品及びシステムである。
【発明を実施するための最良の形態】
【０００５】以下、本発明の実施形態を説明する。
（イ）  コース全体をカバーするよう複数台のカメラをコース内に設置する。
（ロ）  映像・音声データはエンコーダーによりデジタルデータに変換しＰＣにキャプチャーする。
（ハ）  キャプチャーされた複数の映像・音声データをＤＶＤオーサリングツールを用いて同時間軸で動く９つの映像と音声（マルチアングル映像）としてＤＶＤへ収録する。
（ニ）  収録されたＤＶＤをコピーマシンにて必要な分をダビングし販売する。
【発明の効果】
【０００６】本発明を使用する事により、同一メディア（ＤＶＤ）において同時間帯に走行した全車両の全走行データ（映像・音声）を鑑賞者がマルチアングル機能を用いて画面を切り換えることにより、個々の車両の全走行データを追尾しながら鑑賞する事ができる製品及びシステムである。
【図面の簡単な説明】
【図１】撮影システムの全体図
【図２】カメラからエンコーダーＰＣの図
【図３】エンコーダーＰＣからオーサリングＰＣ、ＤＶＤドライブの図
【図４】ＤＶＤドライブとＤＶＤコピーマシンの図
【符号の説明】
（１）カメラ、（２）エンコーダー用ＰＣ、（３）ＨＵＢ、（４）ＤＶＤオーサリング用ＰＣ、（５）ＤＶＤドライブ、（６）ＤＶＤコピーマシン
【図１】
2006020260.tif 000003
【図２】
2006020260.tif 000004
【図３】
2006020260.tif 000005
【図４】
2006020260.tif 000006
(57)【要約】【課題】従来は、衣服や小物類等の本体や、取り付けようとするものに縫製がされていたり、ファスナーやマジックテープ（登録商標）やボタンや雄雌型様式の止め具等が、あらかじめ取り付けられている為、取り付けする箇所が限られてしまったり、本体に対して取り付けるもの等が限られてしまっていた。その為、デザインやサイズ等、多機能とはいえなかった。【解決手段】衣服や小物類等に特別な縫製を施すことなく、衣服や小物類等の形状の変更や補正や装飾等をしたり、襟や袖や装飾部分などのパーツを、付けたりはずしたりするのを簡単に行なうことが出来るようにする。取り付けたい部分にある縫い目に留め具の先端を挿入し、挿入後、留め具を拡張して接続部分、又は、装飾等を取り付ける。又、留め具を縮小しはずすことが出来る。【選択図】図１
2006020662.tif 000002
【特許請求の範囲】
【請求項１】
従来縫い付けられていた衣服や小物類等の縫い目を利用して、袖や襟や飾りつけ等を、簡単に付け替えする為の、縫い目に挿入し、挿入後に拡張させ、縮小させて抜くことが出来る、図１の様な留め具。
【発明の詳細な説明】
【技術分野】
【０００１】
本発明は、パーツ毎に縫製し、取りかえを可能にしたパーツの衣服や小物類等への取り付け方法に関するものである。
【背景技術】
【０００２】
従来、パーツを取り替えることは考えられていたが、事前にファスナーの取り付けを必要としていたり（特許文献１）マジックテープ（登録商標）の取り付けを必要としていたり（特許文献２）止め具に関しては、雄雌型様式のものがあらかじめ取り付けられている。（特許文献３〜６）
【特許文献１】特開平６−３１６８０１号公報
【特許文献２】特開平９−３１６７１７号公報
【特許文献３】特開平０１−２７０８０４号公報
【特許文献４】特開2000−２３２９０４号公報
【特許文献５】特開2000−３２５１１１号公報
【特許文献６】特開2002−６５３１６号公報
【発明の開示】
【発明が解決しようとする課題】
【０００３】
従来は、衣服や小物類等の本体や、取り付けようとするものに縫製がされていたり、ファスナーやマジックテープ（登録商標）やボタンや雄雌型様式の止め具等が、あらかじめ取り付けられている為、取り付けする箇所が限られてしまったり、本体に対して取り付けるもの等が限られてしまっていた。その為、デザインやサイズ等、多機能とはいえなかった。
【課題を解決するための手段】
【０００４】
衣服や小物類等に、袖や襟や飾り付け等を取り付けたり取り外したりすることを簡単に行なうことが出来るようにする。しかも、取り外した状態で、衣服に不要な留め具が残らないものとする。
【０００５】
衣服や小物類等の縫い目に留め具を挿入し、挿入後に留め具を拡張させることで、抜けないようにする。（図２）又、縫い目から細くすることで、抜くことが出来る。（図３）
【０００６】
挿入後の留め具は、円形だけでなく色々な形状が出来る為、縫いしろ等が狭い部分にも、留め具の形状を縫いしろに合わせて適用出来る。（図４）
【発明の効果】
【０００７】
本発明は、衣服や小物類等に特別な金具の取り付けをする必要が無く、縫い目があるところなら、何処にでも取り付けることが出来、各種のアレンジを楽しめるものである。
【実施例】
【０００８】
図２の様に留め具の片方を細くし、縫い目に挿入し、挿入後拡張して取り付ける。
【０００９】
留め具は、市販のワイヤーで作ることが出来るが、樹脂製でも可能であり、縫い目に挿入でき拡張出来るもの、又、縮小し抜き出せるものであれば、素材は限定されない。
【００１０】
図２、図３で説明した方法で、留め具を並べて、図５の様な利用方法がある。
（１）ノースリーブに袖を留め具で取り付け、袖のあるスタイルにしたり、取り外すことによってノースリーブに戻す等が出来る。
（２）衣服に襟を留め具で取り付け、襟のあるスタイルにしたり、取り外す
ことによって襟無しのスタイルに戻す等が出来る。
（３）衣服に裾を留め具で取り付け、裾のスタイルを変えたり、衣服の長さを調整したりする等が出来る。
（４）スカートのスリットの位置を変えたり等が出来る。
（５）ドレスのトレーンを付けたり、はずしたり等が出来る。
（６）バッグに飾り付けをしたり、飾り付けを取り外す等が出来る。
（７）ブーツに飾り付けをしたり、飾り付けを取り外す等が出来る。
（８）サンダルに飾り付けをしたり、飾り付けを取り外す等が出来る。
（９）衣服のカフス部分を補正や色違いなど、アレンジする等が出来る。
【００１１】
上記、（１）〜（９）以外の用途も十分に考えられる為、用途に関しては限定されな
い。
【産業上の利用可能性】
【００１２】
図１の留め具の使用により、
既存の衣服や小物類等のおしゃれを楽しめる。
衣服や小物類等を２パターン、３パターンにすることが出来る。
サイズの変更が出来る。
汚れや破損した部分の補正が出来る。
各部分の量産が出来る。
コスト削減することが出来る。
【図面の簡単な説明】
【００１３】
【図１】本発明の留め具の正面図及び側面図及び斜視図である。（１）正面図      （２）側面図      （３）斜視図
【図２】取り付け方法の概略図である。（１）本体に片方を細くし挿入させた図である。（２）挿入後、拡張させた図である。（３）取り付けられる側の方を細くした図である。（４）取り付けられる側の方を拡張させ、本体と取り付けた図である。
【図３】取り外し方法の概略図である。（１）留め具の双方を縮小させた図である。（２）留め具を抜き、取り外した図である。
【図４】縫いしろの大きさにより、形状を変えた留め具の図である。（１）縫いしろが幅広いときの、留め具の図である。（２）縫いしろの幅が少しだけ狭く、形状を変えた留め具の図である。      （３）縫いしろが極端に狭く、横に形状を変えた留め具の図である。
【図５】留め具を使って出来るものの例である。（１）ノースリーブに袖を取り付けた図である。（２）衣服に襟を取り付けた図である。（３）衣服に裾を取り付けた図である。（４）スカートのスリットの位置を変えた図である。（５）ドレスにトレーンを付けた図である。（６）バッグに飾り付けをした図である。（７）ブーツに飾り付けをした図である。（８）サンダルに飾り付けをした図である。（９）衣服のカフス部分を取り付けた図である。
【符号の説明】
【００１４】
１：留め具    ２：縫いしろ    ３：縫い目    ４：取り付けられる側のもの    ５：衣服（ノースリーブ）      ６：袖          ７：襟          ８：裾
９：スカート    １０：スリット部    １１：ドレス    １２：トレーン  
１３：バッグ    １４：フリル等の飾り    １５：ブーツ    １６：サンダル
１７：サンダルに付いているストラップ部    １８：衣服（ブラウス）    
１９：カフス部   
【図１】
2006020662.tif 000003
【図２】
2006020662.tif 000004
【図３】
2006020662.tif 000005
【図４】
2006020662.tif 000006
【図５】
2006020662.tif 000007
(57)【要約】  【課題】風車の動作的おもしろさを高めるとともに装飾的効果を高め、玩具的利用や装飾的利用として役立てることを課題とする。  【解決手段】中心軸３を中心に回転するようにした支持部４に旋回する風車１を取りつけ、支柱５に接合部６により取りつけられた周回軌道２に沿うようにし、旋回する風車１が風を受け回転するときに周回軌道２との転がり摩擦により周囲を旋回できるようにしたものである。また支柱５の先端部の中心軸３に中心部の風車７を取りつけ、その回転を減速器８を通じて風車の支持部４に伝えて回転させることにより、支持部４に取りつけられた旋回する風車１を風を受け回転させながら中心部の風車７の周囲を旋回させるようにもできるものである。  【選択図】【図１】
2006020693.tif 000002
【特許請求の範囲】
【請求項１】
回転しながら旋回できるようにした風車
【発明の詳細な説明】
【技術分野】
【０００１】
本発明は風車を回転しながら旋回できるようにし、動作的おもしろさと装飾的効果を高めるようにした風車に関するものである。
【背景技術】
【０００２】
従来の風車は風を受け軸を中心に回転するもので、風を受けた風車が回転しながら旋回するものはなかった。
【特許文献１】特開２００２−３４４２７号公報
【発明の開示】
【発明が解決しようとする課題】
【０００３】
風車の動作的おもしろさと装飾的効果を高め玩具的利用や装飾的利用に役立てることを課題とする。
【課題を解決するための手段】
【０００４】
本発明は中心軸を中心に回転する支持部に取りつけられた旋回する風車が、設けた周回軌道に沿い風を受けて回転するときに周回軌道との転がり摩擦によってその周囲を旋回できるようにしたものである。また支柱の中心軸に設けた中心部の風車の回転力を減速器を通じて旋回する風車の支持部に伝えて回転させ、それに取りつけられた旋回する風車が風を受け回転しながら周囲を旋回できるようにもしたものである。
【発明の効果】
【０００５】
本発明の風車は風を受け回転する風車がさらに旋回をおこなうことができるようにしたものである。風車が回転しながら周回を旋回することにより風車としての動作的おもしろさが増すとともに装飾的な効果も高めるようにした。複数の風車を用いることにより複雑な動作も可能となり、それらの効果を更に増すことができる。動作的おもしろさや装飾的効果から玩具としての利用のほか装飾用としても利用ができるものである。
【発明を実施するための最良の形態】
【０００６】
支柱先端の中心軸を中心に回転する支持部に旋回する風車を取りつけ、支柱に接合し設けた周回軌道沿いに旋回する風車が風を受け、回転しながら周回軌道との転がり摩擦により周囲を旋回できるようにした。また支柱の中心軸に設けた中心部の風車の回転力を減速器を通じ支持部に伝えて回転させ、それに取りつけた旋回する風車が風を受け回転しながら周囲を旋回できるようにした。
【実施例１】
【０００７】
図１は、本発明の実施例１の正面図である。支柱５の先端部の中心軸３を中心に回る支持部４に旋回する風車１を取り付け、設けた周回軌道２に沿って風を受け回転しながら周囲を旋回できるようにしたものである。周回軌道２と支柱５は接合部６によって結合されている。また図２はその側面図である。
【実施例２】
【０００８】
図３は本発明の実施例２の正面図である。支柱５の先端部の中心軸３に中心部の風車７を取りつけたもので、その回転力を設けた減速器８を通じて支持部４を回転させ、それに取りつけられた旋回する風車１を風を受け回転しながら中心部の風車７の周囲を旋回させるようにしたものである。また図４はその側面図である。
【産業上の利用可能性】
【０００９】
風車が回転しながら旋回することによって動作的おもしろさや装飾的効果が高まるため玩具的利用のほか装飾目的にも利用できる。  
【図面の簡単な説明】
【００１０】
【図１】周回軌道に沿って旋回させるようにした風車の説明図である。（実施例１）
【図２】（実施例１）の側面図である。
【図３】中心部の風車の周囲を旋回させるようにした風車の説明図である。（実施例２）
【図４】（実施例２）の側面図である。
【符号の説明】
【００１１】
１    旋回する風車
２    周回軌道
３    中心軸
４    支持部
５    支柱
６    接合部
７    中心部の風車
８    減速器
【図１】
2006020693.tif 000003
【図２】
2006020693.tif 000004
【図３】
2006020693.tif 000005
【図４】
2006020693.tif 000006
(57)【要約】【課題】  室内の省スペース化を図りつつ、布団を別の場所に移動させることなく容易にソファーを形成することができる利便性、各素材の選択性、衛生化を可能にするソファーベッドを提供する。【解決手段】  ベッド本体の長さ方向あるいは幅方向側面に背もたれを設け、且該ベッド下空間部にスライド可能な座部を設置せしめ、当該座部を前記空間部から背もたれ方向に引き出すことにより、前記背もたれとでソファーを形成することを特徴とする。【選択図】  図１
2006020692.tif 000002
【特許請求の範囲】
【請求項１】
ベッド本体の長さ方向側面に背もたれを設け、且該ベッド下空間部にスライド可能な座部を設け、当該座部を前記空間部から背もたれ方向に引出すことにより、前記背もたれとでソファーを形成することを特徴とするソファーベッド。
【請求項２】
ベッド本体の幅方向側面に背もたれを設け、且該ベッド下空間部にスライド可能な座部を設け、当該座部を前記空間部から背もたれ方向に引出すことにより、前記背もたれとでソファーを形成することを特徴とするソファーベッド。
【発明の詳細な説明】
【技術分野】
【０００１】
本発明は、布団を別の場所に移動することなくソファーを形成することができるようにしたソファーベッドに関するものである。
【背景技術】
【０００２】
従来のソファーベッドはソファーとベッドを一体化することで、省スペース化を図り、限りある居住スペースを有効利用できる利点がある（例えば、特許文献１参照。）。
【０００３】
【特許文献１】特開平１１−１６４７５４号公報
【発明の開示】
【発明が解決しようとする課題】
【０００４】
しかしながら、従来のソファーベッドは同一面をソファーとベッドに共有していたため、ベッドからソファーへの変換時はどうしても一度布団を別の場所に移動せざるをえないという煩わしさと、寝具に日常着で座ることへの感覚的な抵抗があった。
【０００５】
また、本来ソファーにはソファーに適した素材、同様にベッドにはベッドに適した素材があり、それらを使用することが最も望ましいが、共有であるため、両方に兼用可能な素材を選択しなければならないという制約があった。
【課題を解決するための手段】
【０００６】
本発明は、その欠点を除くためになされたもので、それを図面について説明すれば、ベッド本体（１）の長さ方向側面に背もたれ（２）を設け、且該ベッド下空間部にスライド可能な座部（３）を設け、当該座部（３）を前記空間部から背もたれ方向に引き出すことにより、前記背もたれ（２）とでソファーを形成する。そのため布団は別の場所に移動させる必要がない。
【０００７】
さらに、ソファー面とベッド床面とは別々に設けたことで、各々素材にも工夫が可能となる。また感覚的な抵抗もなくなり上記課題を解決する。
【発明の効果】
【０００８】
上述したように本発明のソファーベッドは、布団を別の場所に移動することなくソファーを形成することができる。
【０００９】
また、ベッド床面部とソファー座部とは別に設けたことにより、ソファー面とベッド面には各々素材にも工夫ができる。
【００１０】
例えば、ベッド床面は桐すのこ等で仕上げ、ソファー面は合成皮革等で仕上げることも可能である。
【００１１】
さらに、感覚的にも衛生的であり、本来独立した家具のように使用できる。
【００１２】
尚、ベッド本体の幅方向側面に背もたれを設け、且該ベッド下空間部にスライド可能な座部を設け、当該座部を前記空間部から背もたれ方向に引き出すことにより、前記背もたれとでソファーを形成する場合も、同じような効果が得られる。
【発明を実施するための最良の形態】
【００１３】
以下本発明の実施の形態について説明する。
【００１４】
図１に示されるように、ベッド本体（１）の長さ方向側面に背もたれ（２）を設け、且該ベッド下空間部にキャスター付きの座部（３）を設け、当該座部を前記空間部から背もたれ方向に引出すことにより、前記背もたれとでソファーを形成することができる。よって昼間などソファー必要時は、この状態で使用する。
【００１５】
また、就寝時などソファーが必要のない時などは、図２のように座部はベッド下空間部に収納しておくことができる。
【図面の簡単な説明】
【００１６】
【図１】本発明のソファー形成時の斜視図である。
【図２】本発明の座部収納時の斜視図である。
【符号の説明】
【００１７】
１  ベッド本体
２  背もたれ
３  座部
【図１】
2006020692.tif 000003
【図２】
2006020692.tif 000004
(57)【要約】      （修正有）【課題】風圧或いは外圧から植木鉢の転倒を防ぎ、且つ簡単迅速に設置及び収納できる植木鉢転倒防止具の提供。【解決手段】植木鉢を該リング形台座２の中央に置き、四方から板バネ１の内向力で植木鉢を保持し、且つ接合したリング形台座２の重量で風圧及び外圧に対抗する。【選択図】図３
2006020611.tif 000002
【特許請求の範囲】
【請求項１】
着脱する板バネと、それを保持する適宜な重量を有したリング形台座を特徴とする植木鉢転倒防止具。
【発明の詳細な説明】
【技術分野】
【０００１】この発明は、園芸用植木鉢の保護に関する。
【背景技術】
【０００２】この発明は画期的なもので、製品化された従来品は全く存在しない。
【発明の開示】
【発明が解決しようとする課題】
【０００３】普及型の植木鉢は逆台形の形を成し、背の高い植木鉢、或いは背の高い植栽の場合、バランス上少しの強風、或いは外圧に弱く、簡単に転倒する。従って、園芸愛好家、或いは園芸業者は、転倒防止用に植木鉢を複数寄せ合ってロープで固定し、或いは針金を用いて近接した構造物に固定する。【０００４】上記環境において、個々に鑑賞する場合、或いは販売、或いは手入れをする場合、ロープを外し、或いは針金を外し、その設置と収納には手間がかかり、設置形態もスタイリッシュではない。【０００５】又、転倒防止策を講じなければ、突然の強風、或いは外圧に因り、植木鉢が転倒した場合、鉢用土の修復及び清掃に手間が掛かり、植栽と鉢本体にダメージを受ける事が多い。【０００６】上記課題を解決するために、本発明はスタイリッシュ且つ設置及び収納を簡便にした植木鉢転倒防止具を提供する事を目的としている。
【課題を解決するための手段】
【０００７】上記の目的を達成するために、本発明の植木鉢転倒防止具においては、植木鉢を保持固定し易いように形成した板バネと、その板バネを保持し、且つ風圧及び外圧に対抗する重量を有したリング形台座を接合したことを特徴とするものである。【０００８】上記板バネは、リング形台座に溶接固着する事も可能だが、設置時及び収納時の利便性を考えて着脱式にした事を特徴とするものである。【０００９】又、リング形台座は、その口径を変えることによって、小口径の植木鉢から大口径の植木鉢まで、使用可能である。即ち、板バネのサイズ及びリング形台座の組み合わせ次第で、様々な大きさの植木鉢に対応する事が可能である。【００１０】そしてリング形台座は、風圧及び外圧に対抗する適宜な重量があれば、その材質は問わない。
【発明の効果】
【００１１】本発明によれば、四方向からの板バネの内向力により、植木鉢は確実に保持され、その板バネを嵌合した適宜な重量を有したリング形台座と連携して、風圧及び外圧に対抗する。【００１２】又、本発明品の設置時には、四方向の板バネを挿入するだけなので、突風などの対応に即効的であり、収納時には、板バネを引抜くだけなので、収納場所も省スペースで良い。【００１３】又、本発明品の設置時には、発明品本体が植栽より下部に付帯するので、植栽の美観を阻害せず、スタイリッシュである。
【発明を実施するための最良の形態】
【００１４】この発明の一実施形態を、図３に示す。
板バネ１は、Ａ面の何処かが、植木鉢に接触するように形成したものである。リング形台座２は、適宜な重量を有し、板バネ１を嵌合する▲１▼▲２▼▲３▼▲４▼の穴を設けたものである。【００１５】「実施形態の効果」
この実施形態によれば、板バネ１の働きで植木鉢を抑え、嵌合したリング形台座の重量が、植木鉢に対する風圧及び外圧に対抗する。又、収納時は板バネ１を引き抜くだけでよく、設置時は板バネ１を挿入する。即ち。非常に簡便である。【００１６】「他の実施形態」
図３の実施形態では、板バネ１は、素材を剥き出しであったが、植木鉢を傷つけない、或いは植木鉢への更なる摩擦力を得るために、他の実施形態板では板バネにカバーを被せてもよい。
【図面の簡単な説明】
【００１７】
【図１】形成した板バネの平面図及び側面図と斜視図である。
【図２】リング形台座の斜視図である。
【図３】この発明の一実施形態を示す斜視図である。
【符号の説明】
【００１８】１  形成した板バネ            ２  嵌合穴を設けたリング形台座
Ａ  植木鉢への接触面          ▲１▼▲２▼▲３▼▲４▼  嵌合穴
【図１】
2006020611.tif 000003
【図２】
2006020611.tif 000004
【図３】
2006020611.tif 000005
(57)【要約】【課題】この発明は、植物の苗をウレタンフォームで包み込み植木鉢に押し込みウレタンフォームの弾力で苗を包んだウレタンフォームと苗を植木鉢内に固定して、苗を発根させる、植物入り植木鉢の製造方法に関する物である。【解決の手段】植物の苗を包み込むためのウレタンフォームの大きさを、植裁する植木鉢の中の大きさよりも大きくし、植木鉢の中に入れたときにウレタンホームの弾力で鉢からウレタンフォームが抜け出さない大きさにして、ウレタンフォームに植物のなえを包み込むための切り込みを設け、ウレタンフォームの切り込みの中に苗の根を挟み込み、苗を包み込んだウレタンフォームを植木鉢の中に押し入れウレタンフォームと苗を植木鉢内に固定する。【選択図】「図２」
2006020619.tif 000002
【特許請求の範囲】
【請求項１】
植木鉢の中に植物の苗を植え込むために、苗の根を植木鉢の内部の大きさよりも大きくしたウレタンフォームで包み、ウレタンフォームで包んだ苗を植木鉢の中に入れて、ウレタンフォームの弾力で苗とウレタンフォームを植木鉢の中に固定することを特長とする、植物入り植木鉢の製造方法。
【請求項２】
植木鉢の内部の底に入れた用土の上にウレタンフォームで包んだ苗を押し込み、植木鉢にウレタンフォームの弾力で用土を固定させることを特長とする、請求項１の植物入り植木鉢の製造方法。
【発明の詳細な説明】
【技術分野】
【０００１】  本発明は植物入り植木鉢の製造にかかるコストの削減と運搬中の転倒で植木鉢内の用土がこぼれたり、植物が抜けたりしないようにするための植裁方法に関するものである。
【背景技術】
【０００２】  従来、鉢の転倒による用土のこぼれを防ぐ植え込み方法の一つとして、粉末の糊を混ぜた化粧砂を鉢の全体、もしくは植物を植え込んだ用土の上部に粉末の糊を混ぜた化粧砂を敷き、水をかけ糊を溶かし乾燥させて化粧砂を固め、鉢が倒れても鉢から砂がこぼれないようにする植裁方法がある。【０００３】  又、特開２００３−４７３３２の挿穂の栽培方法において挿し穂の栽培方法があり、この発明は土壌栽培及び水耕栽培のために、挿し穂をシート部材で包み発根させる挿し穂の栽培方法である。【０００４】  又、特開２００２ー３３５７５７の代用土においてポリウレタンフォームを含むことを特長とする代用土があり、この発明はポリウレタンフォームと用土を混ぜて代用土として使用するものである。
【発明の開示】
【発明が解決しようとする課題】
【０００５】  本発明は、従来の植木鉢に観賞用植物の植裁作業を簡素化するためと、さらに植木鉢を運搬、持ち運びするときなどに鉢を倒したときに植木鉢内の用土と植物が抜け落ちないようにし、さらにウレタンフォームを代用土として使用するものである。
【課題を解決するための手段】
【０００６】  植物の苗の根の部分を植木鉢の内部の大きさよりも大きくしたウレタンフォームで包み、ウレタンフォームで包んだ苗を植木鉢の中に入れて、苗とウレタンフォームをウレタンフォームの弾力で植木鉢から抜けないように固定し発根させる。
【発明の効果】
【０００７】  植物の苗の根の部分をウレタンフォームの弾力を利用し包み込むことにより苗の根を柔らかく包み込むことが出来、苗の損傷を無くすことが出来、さらにウレタンフォームで苗を包み込んだウレタンフォームの大きさを植木鉢の中の大きさより少し大きくし、植木鉢の中に押し込むことにより、ウレタンフォームの弾力で鉢内の苗が押さえ込まれ、鉢を倒した場合も苗が抜け出さない。さらにウレタンフォームが代用士となるため植裁の手間が簡単になる。
【発明を実施するための最良の形態】
【０００８】  植物の苗を包み込むためのウレタンフォームの大きさを、挿し木する植木鉢の中の大きさよりも大きくしウレタンフォームの弾力で鉢からウレタンフォームが抜け出さない大きさにして、ウレタンホームに植物の苗を包み込むための切り込みを設け、ウレタンフォームの切り込みの中に苗の根を挟み込み、苗を包み込んだウレタンフォームを植木鉢の中に押し入れる。
【実施例】
【０００９】  以下、実施例を挙げて本発明をより具体的に説明する。
実施例１，吸水性の高いウレタンフォームを植裁する植木鉢の内径の大きさよりも大きい径で円柱形の形状に型抜き、又は円柱形に発泡成形し、植物の苗を挟み込むために、円柱形に形成したウレタンフォームの中央まで縦に切り込みを入れ、苗の根を挟んで包み込み、鉢に入れたときに固定され抜け落ちないようにし、さらにウレタンフォームを代用土として使用する。【００１０】また、植木鉢に用土を植木鉢内の半分程入れておき、用土の上にウレタンフォームで包んだ苗を押し込み、植木鉢に苗を固定させる。【００１１】また、苗を包み込む素材はウレタンフォームに限定する物ではなく、一般的に知られているスポンジ状の素材で弾力があり吸水生がある素材であればよい。さらにウレタンフォームの形状は円柱形に限定する物ではなく、苗を包み込める形状、たとえば細長い帯状にて苗を包んでも良い。【００１２】また、ここでいう植木鉢とは主に一般的にミニ鉢と呼ばれている小型の植木鉢で、苗を包むウレタンフォームは鉢の中の大きさよりも大きいサイズであるのでウレタンフォームが代用土となる。【００１３】また、苗を包むウレタンフォームを植木鉢の深さの半分位の大きさにして、植木鉢の底に用土を半分位入れて、苗を包んだウレタンフォームで用土を押さえても良い。【００１４】また、ここでいう植物とは主にベンケイソウ科のセダム属の多肉植物をさし、苗を植裁する場合、茎や根が柔らかいためしっかりと発根してからでないと移動が難しいがウレタンホームで苗み込むことでソフトに苗の損傷が少なく、また少しの発根でも移動、転倒しても苗が抜け落ちることがないため植裁から市場への出荷までの期間が短縮され製造コストが削減できる。。
【図面の簡単な説明】
【００１５】
【図１】  本発明のウレタンフォームに植物の苗を挟み植木鉢に入れる前の斜視図である。
【図２】  本発明の植物を植木鉢に植裁した斜視図である。
【図３】  本発明の請求項２の植木鉢の底に用土を入れ植裁した断面図である。
【符号の説明】
【００１６】１植物の苗
２ウレタンフォーム
３ウレタンフォームの切り込み
４植木鉢
５用土
【図１】
2006020619.tif 000003
【図２】
2006020619.tif 000004
【図３】
2006020619.tif 000005
(57)【要約】      （修正有）【課題】廃棄処分される場合の多い梅酢を利用し、一方、従来梅酢漬けに利用されない野菜原料を用いた、新規漬け物の提供。【解決手段】梅酢に、未熟の青いトマトを漬け込み、一風変わった食感と味わいのあるトマトの漬物を得る。【選択図】なし【特許請求の範囲】
【請求項１】
梅干を製造する時に、梅に塩を振りかけてしばらく置くと梅の果汁が絞り出てくる。これを梅酢というが、この梅酢に未完熟の青いトマトを漬ける。数日たつと、この青いトマトが、梅酢によって、塩と酢がしみこみ、未完熟のトマトであるから適度な硬さがあり、漬物として食することができる。
この梅酢に未完熟のトマトを漬けることによって、トマトを野菜の漬物として製造する方法。
トマトの梅酢漬け、梅酢漬けトマト。
【発明の詳細な説明】
【技術分野】
【０００１】  梅干を製造する時に、梅に塩をふりかけると数日後には梅の果肉より塩により果汁が外に吸い出されてくる。これを梅酢という。
塩分のきいた、強い酸味のある果汁である。この果汁（梅酢）にまだ未完熟の状態である青いトマトを漬け込む。未完熟であるから、適度に硬さがある。
一般的に、青いトマトを生のままで食べても美味であるとはいえない。しかし漬け込んで数日たつと、梅酢の塩と酸味がトマトにしみこみ、野菜の漬物として、一風変わった食感と味わいとを作り出す。
【産業上の利用可能性】
【０００２】  梅酢は強い塩分と酸味のため、一部は料理の調味料として使用され、又塩抜きして利用する事もできるが、廃棄処分される場合が多い。普通梅干に加工される梅の１／４位の量が発生する。
その梅酢を有効利用する。
(57)【要約】      （修正有）【課題】従来の灰皿は、捨てるときに、たばこ消火して捨てないと、周囲のたばこに引火して多量の煙を発生させる。これを消すために水を入れることが多いが、吸殻が水を吸収し時間がたつと異臭をを発する。このため捨てるときに注意をはらう必要がある、このとき灰皿周囲でもみ消しにより灰皿が汚くなる。これを解決するために、もみ消しの必要がなく、清潔で、清掃も容易な灰皿を提供する。【解決手段】吸殻受け部を筒状にすることにより、火のついたまま捨てられても消火される。もみ消しの必要がなくなるので、灰皿が清潔になり、清掃も容易である。【選択図】図１
2006020622.tif 000002
【特許請求の範囲】
【請求項１】
業務用灰皿のたばこの吸い殻受けを筒状（円・角型また複数本）に設置する。
【請求項２】
吸い殻を筒状の中に捨てるとたばこの火を消火できるのを特徴とする請求項１記載の業務用灰皿。
【発明の詳細な説明】
【技術分野】
【０００１】この発明は、業務用灰皿の形状に関する。
【特許文献１】
【非特許文献１】
【背景技術】
【０００２】  従来の業務用灰皿は図２に示すように、火のついたたばこを捨てると既存たばこに引火し煙が立ちこもり人の手で消火することになる、また、このようなことが起こらないために事前に消火水を注入していることが多いが、これは吸い殻が水を吸収し時間がたつと異臭発するため短期間での清掃を余儀なくされる。また、吸ったたばこを手でもみ消して捨てるがこれも灰皿の周りが汚くなりクリーンなイメージがなくなる。このようなことを一新するために吸い殻の捨て口を筒状にし燃えないように酸素の供給を絶つことにより消火できる。また、清掃も容易でクリーンなイメージとなる。
【発明の開示】
【発明が解決しようとする課題】
【０００３】  業務用の灰皿は公共の場、社内の喫煙コーナー等に設置されていてたばこの吸い殻が散乱し、見た目にも汚いイメージ、また、たばこの消し損ねから燃えて煙が立ちこめる、この発明によりたばこをもみ消す必要もなく、火がついたまま捨てられる。
また、消火のために消火水も不必要で異臭もなく、非常にクリーンな灰皿になるのを提供することを課題とする。
【課題を解決するための手段】
【０００４】  以上の課題を解決するために、第一発明は、吸い殻を適度な筒状の中に捨て酸素の供給を絶つことを特徴とする灰皿である。
また、第二発明は、たばこをもみ消す必要がなく灰皿をクリーンにできることを特徴とする灰皿である。
【発明の効果】
【０００５】  第一発明、または第二発明によれば、吸い殻を筒状の中に捨てることによりたばこのもみ消しもなく消火できクリーンな灰皿になる。
【発明を実施するための最良の形態】
【０００６】  この発明の一実施形態を、図１に示す。
灰皿に適度な複数の筒を取り付けられている。【０００７】「実施形態の効果」
この実施形態によれば、たばこの吸い殻を筒の中にすてることで消火ができる。【０００８】「他の実施形態」
図１の実施形態は３本の筒状図面であるが、吸い殻の消火を目的としているため本数または筒径には特にこだわらないとする
【産業上の利用可能性】
【０００＊】
【図面の簡単な説明】
【０００９】
【図１】この発明の一実施形態を示す斜視図である。
【図２】従来技術を示す斜視図である。
【符号の説明】
【００１０】    １  筒状（吸い殻を捨てるところ）
２  受け皿（清掃時の受け皿）
【図１】
2006020622.tif 000003
【図２】
2006020622.tif 000004
(57)【要約】      （修正有）【課題】  ペットの排泄物除去処理の負担を軽減し、効率性と衛生的で楽に短時間で完了する事を目的とする。【解決手段】  左右取っ手つき半球体容器２個１，２の中央に分別容器１８を装着し、合体した球型砂箱の左右の円筒型取っ手４を回転軸に上下回転の砂移動で瞬時にペットの排泄物を分別除去処理する回転砂箱。【選択図】  図６
2006020623.tif 000002
【特許請求の範囲】
【請求項１】
左右取っ手つき半球体容器２個の中央に排泄分別容器を装着し、合体した球型砂箱の左右取っ手を回転軸に分別する、ペット用排泄分別機能つき回転砂箱。
【請求項２】
外側容器縁周り前後に装着のスライド型二重縁台の開閉で、固定や回転をする、請求項１記載のペット用排泄分別機能つき回転砂箱。
【発明の詳細な説明】
【発明の詳細な説明】
【技術分野】
【０００１】  本発明は、ペットの排泄物を回転分別処理する回転砂箱に関する。
【背景技術】
【０００２】  ペットの排泄物除去の従来の作業は、固まりを小さなシャベルで取り除く処理と、商品化の厚紙を敷くチップ砂箱や、砂に直接消臭薬品をふり、下段の敷紙にペットの尿を受ける商品がある。
【発明が解決しようとする課題】
【０００３】  以上述べた小さなシャベルでの従来の除去方法は、悪臭、粉塵、固まりの崩れによる散乱と、不衛生で手間のかかる処理である。商品化のチップ砂と厚紙の砂箱や、消臭薬品をふる商品は、ペットの尿については数日持ちこたえても、フンの固まりについては毎日、その都度除去を必要とする。
【０００４】  本発明はペットの排泄物除去処理を１日１回、簡単に短時間で完了し、飼い主の負担を軽減、楽な作業へと変換、毎日の清潔な砂箱環境を目的とする。
【課題を解決するための手段】
【０００５】  本発明は、紙、木製他の改良砂の軽量化で砂箱の上下１８０度回転を容易にした。平常時やペット排泄時の砂箱形態は外側容器縁周り装着の前後両側からのスライド型二重縁台が下半球体砂箱の二重の固定台にスライド装着し、隙間を完全に封じ、固定、安定した下半球体砂箱である。
【０００６】  次にペットの排泄物除去処理は、前記の下半球体砂箱に同型の上半球体容器の口径と口径を合体、間、中央に排泄分別容器装着の球型砂箱である。外側容器縁周りに装着のスライド型二重縁台を両手で外側にスライドさせ、３ｃｍ幅の口径の空間を作り、球型砂箱左右の円筒型取っ手を回転軸に、球型砂箱トップの回転レバーで上から下へ１８０度回転させる。同時にペットの排泄物と清潔な砂箱とに分別、完了する。上、下半球体容器は交互に砂箱となり、外側容器縁周りのスライド型二重縁台で固定する。
【発明を実施するための最良の形態】
【０００７】  以下、本発明の実施の形態を図１〜図６に基づいて説明する。【０００８】  本発明の図１〜図４の外側容器と、砂箱の構造形態を説明すると、
（イ）  図１、図２の外側容器９とは、球型砂箱１、２や単独の下半球体容器の砂箱２を支え、図３の示す砂箱の左右の取って１６を乗せる落下防止用の取っ手台カバー１７のある取っ手台１０とその重力を支える取っ手台支柱１２のある円筒型の外側容器９である。
（ロ）  円筒型外側容器９口径の縁周り５には、両側の前方後方に設置のスライド型二重縁台６、８がそれぞれ縁台レバー７で外側、内側とスライドさせ外側容器９の縁周り５の空間部分を開閉させる事で、固定、回転を可能とする。図４で示すスライド型二重縁台は、下半球体容器装着の縁周りテープ３を支える固定台１１に確実に深く、又二重に交互にかみ合う構造とし、前後、両側からのスライド型二重縁台６、８と下半球体砂箱２との隙間を封じ、より強固に、又、それぞれの縁台６、８は縁台Ｔ字型とめ具１５で外側容器取っ手台１０に設置装着され、ペット排泄時も安心な安定砂箱となる。
（ハ）  上、下１８０度回転時は、外側容器底１３や、球型砂箱１、２の底下は、すべて空間のため、より楽に回転する。
以上、（イ）（ロ）（ハ）の構造形態の外側容器で支えられた、ペット用回転砂箱である。【０００９】ペットの排泄物除去処理を図５、図６で説明すると、
（イ）排泄物除去処理の第一段階は、下半球体容器の砂箱２上部内側の回転溝２２に図５の排泄分別容器１８を編み目底２０を上にし、図５で示すよう、下半球体砂箱上部２に右回りに回転装着させる。
（ロ）第二段階は図６で示す分別容器つき下半球体砂箱２に同型の上半球体容器１を合体、それぞれの左右１／２円筒型取っ手の凹凸の縁を合わせ、一本の太い円筒型取っ手４が左右にある球型砂箱１、２となる。
（ハ）第三段階は、外側容器取っ手台１０に乗る球型砂箱１、２の左右の取っ手４の上に、落下防止用に取っ手台カバー１７をし、外側容器９の縁周り５装着の前方、後方スライド型二重縁台６、８の縁台レバー７を外側にスライドさせ、３ｃｍ幅の空間を設け、球型砂箱左右の取っ手４を回転軸に回転用レバー１４を下げ、上、下１８０度回転、瞬時にペットの排泄物は分別容器へ、きれいな砂は清潔な砂箱とに分別処理完了する。
以上、（イ）（ロ）（ハ）三行程で回転分別するペット用排泄物分別機能つき回転砂箱。
【発明の効果】
【００１０】  砂と、砂箱容器の軽量化で回転分別除去処理を可能とし、飼い主の負担軽減で煩わしい作業を楽な作業へと変換、ペットにも衛生的な砂箱環境となった。
【図面の簡単な説明】
【図１】  ペット用排泄分別機能つき回転砂箱の正面図
【図２】  下半球体砂箱の斜視図
【図３】  下半球体容器取っ手と、外側容器取っ手台斜視図
【図４】  スライド型二重縁台の表と裏の平面図
【図５】  排泄分別容器と、下半球体容器の砂箱斜視図
【図６】  排泄分別容器装着の球型砂箱断面図
【符号の説明】
１    上半球体容器
２    下半球体容器
３    縁周りテープ
４    球型砂箱円筒型取っ手
５    外側容器縁周り
６    前方スライド型二重縁台
７    縁台レバー
８    後方スライド型二重縁台
９    外側容器
１０  外側容器取っ手台
１１  固定台
１２  取っ手台支柱
１３  外側容器底
１４  回転用レバー
１５  縁台Ｔ字型とめ具
１６  下半球体容器１／２円筒型取っ手
１７  取っ手台カバー
１８  排泄物分別容器
１９  分別容器  レール部品
２０  分別容器  編み目底
２１  分別容器  持ち手
２２  分別容器  レール溝
２３  スライド固定枠
２４  縁台Ｔ字型とめ具の移動口
２５  縁台固定部１、２
２６  バネ式とめ具
２７  １／２円筒型取っ手  後部
２８  固定ネジ
【図１】
2006020623.tif 000003
【図２】
2006020623.tif 000004
【図３】
2006020623.tif 000005
【図４】
2006020623.tif 000006
【図５】
2006020623.tif 000007
【図６】
2006020623.tif 000008
(57)【要約】【課題】今までの生豆乳製法において鮮度維持が難しく正味期限が短い為、今回は海洋深層水のをＲＯ膜処理にて濃縮した後、真空冷凍乾燥機にて粉末にしこれを生豆乳の添加物として使用し，鮮度を維持し従来の正味期間を延長しようとしたものである。【解決手段】酒田沖深層水（及び深層水）をＲＯ膜処理にて濃縮後、真空冷凍乾燥機に入れ脱水乾燥させることにより、深層水中に含まれる豊富なミネラル成分の粉末を配合したことを特徴とした生豆乳で鮮度維持を改善する。【特許請求の範囲】
【請求項１】
酒田沖海洋深層水（及び深層水）をＲＯ膜処理にて濃縮した後、濃縮液を真空冷凍乾燥機に入れ脱水乾燥をおこない深層水に含まれる全ての元素を粉末にして取り出し、従来の生豆乳製法に添加物として使用することによりミネラル成分補充と鮮度維持、正味期限を延長する製造方法。
【請求項２】
酒田沖海洋深層水（及び深層水）をＲＯ膜処理にて濃縮した後、濃縮液を真空冷凍乾燥機にて真空冷凍乾燥粉末にすることにより、溶合速度が早く、一般に見られる成分分離が殆ど見られず均一溶合成分として生豆乳添加物として利用する製造方法。
【請求項３】
その他、生豆乳に添加物として使用される一切の真空冷凍乾燥粉末の製造方法である。
【発明の詳細な説明】
【発明の詳細な説明】
【技術分野】
【０００１】本発明は、酒田沖海洋深層水（及び深層水）をＲＯ膜処理にて濃縮した後、濃縮液を真空冷凍乾燥機に入れ脱水乾燥をおこない深層水に含まれる全ての元素を粉末にして取り出し、従来の生豆乳製法で鮮度維持を高め，風味と栄養成分を含有させる製造法に関しするものである。
【従来技術】
【０００２】従来の生豆乳添加物としては、飲みやすくするためと鮮度維持するため果糖成分、果汁、及び糖分、塩分等を添加していた。ミネラル豊富な塩分を添加する場合に於いては海洋深層水の濃縮液又は逆浸透膜法やイオン交換膜法などで造られたものが利用されていた。
【０００３】一方、海洋深層水の利用が注目されるに伴い、海洋深層水を飲料水に利用する方法や海洋深層水の濃宿液を飲料に添加物として利用する方法などが提案されている。（特開２００１−１３６９４２号公報）
【０００４】このように深層水又は深層水濃縮液、深層水塩を飲料水、食品添加物として利用し、その機能性効果を期待したものが提案・提供されているがいずれも成分分離が生じ、添加物が沈殿することが判明し塩味が生じるのみで鮮度維持を改善するに至っていない。
【発明が解決しようとする課題】
【０００５】従来の生豆乳添加物としては濃縮液や結晶物が使用されていたが、溶合時間が長いため作業効率も悪く、添加物を配合しても成分分離層と残留異物が商品価値を阻害する問題があった。
【０００６】また、従来の添加物配合に関し、添加物の鮮度腐敗による菌繁殖等から正味期限が短く，一般的には調整豆乳として処理しなければいけない問題があった。
【０００７】そこでこの発明は、酒田沖海洋深層水（及び深層水）をＲＯ膜処理にて濃縮した後、濃縮液を真空冷凍乾燥機に入れ脱水乾燥をおこない深層水に含まれる全ての元素を粉末にして取り出すことにより独自の機能性を有することをつきとめ、その有用性を利用した豆乳を提供することに成功したものである。
【課題を解決しようとする手段】
【０００８】上記の目的を達成するために、酒田沖海洋深層水（及び深層水）をＲＯ膜処理にて濃縮した後、濃縮液を真空冷凍乾燥機に入れ脱水乾燥をおこない深層水に含まれる全ての元素を粉末にして取り出し、この粉末を使用することにより、粉末に含まれる多くのミネラル成分から豆乳腐敗を防止し、菌の繁殖を抑止する事を可能にしたものである。
【発明を実施するための最良の形態】
【０００９】本発明の酒田沖深層水（及び深層水）をＲＯ膜で濃縮後、真空冷凍乾燥機で脱水乾燥させ粉末にしたものには深層水のミネラル成分が保持する機能性のうち鮮度維持を改善する機能性を得ようとしたものである。
【実施例】従来の豆乳製法に順じ、充填の際に５００ｍｌの豆乳に粉末添加物を５ｇ配合し冷蔵庫に腐敗がすすむ段階まで保管（１４日間）した。１４日目の雑菌検査等では以上は見られなかった。【０００１０】又、従来の生豆乳製法に順じ、充填の際に２００ｍｌの豆乳に粉末添加物を２ｇ配合し同じ保管状態手確認したが雑菌検査等では以上はなく、１６日間まで延長する事を確認した。【０００１１】又、雑菌検査時で甘味検査の実施を行い問題ないことを確認した。
【発明の効果】
従来の生豆乳正味期間は３〜４日位で、添加物を配合するにも絞り工程段階から溶合攪拌をしないと出来なかった。今回の発明は充填後でも配合が可能になり、工程時間の短縮と作業場の縮小にもつながり，正味期間は１４〜１５日と長い鮮度を維持することが可能になった。
【０００１２】従来の生豆乳品よりも甘味とまろやかさが確認できた。